【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
画像データにおいて、所定濃度以上の画素が副走査方向に連続した領域と副走査方向下流側に隣接する白領域の副走査方向の画素数を取得する取得手段と、
前記取得手段によって取得された白領域の画素数に基づき、前記連続した領域において副走査方向下流側の単位領域あたりの濃度が低くなるように前記単位領域における画素値の補正を行う補正手段とを有し、
前記補正手段は、前記取得手段によって取得された白領域の画素数が第１の画素数の場合、前記連続した領域における副走査方向下流側の単位領域あたりの濃度を、第１の補正量で補正を行い、前記取得手段によって取得された白領域の画素数が前記第１の画素数よりも大きい第２の画素数の場合、前記連続した領域における副走査方向下流側の単位領域あたりの濃度を、前記第１の補正量よりも大きい第２の補正量で補正することを特徴とする画像形成装置。
【請求項２】
前記補正手段における前記単位領域における画素値の補正は、前記単位領域における複数の黒画素のうち、一部の黒画素を白画素に補正する処理であることを特徴とする請求項１に記載の画像形成装置。
【請求項３】
前記白領域は、所定濃度以下の領域であることを特徴とする請求項１または２に記載の画像形成装置。
【請求項４】
前記白領域は、前記連続した領域と、前記連続した領域の副走査方向下流側に前記所定濃度以上の画素が副走査方向に連続する領域との間の領域であることを特徴とする請求項１または２に記載の画像形成装置。
【請求項５】
感光体ドラム上の潜像部の回転方向の後端において生じるトナーの過付着を補正する画像形成装置であって、
前記補正を行なう対象の領域の副走査方向の規定ライン数を示す情報を取得する取得手段と、
潜像が形成される領域である第１のベタ部と、該第１のベタ部の副走査方向の後方に別の潜像が形成される領域である第２のベタ部と、の間の領域である余白部の副走査方向のライン数に応じて、前記第１のベタ部を主走査方向に分割する分割手段と、
前記分割された領域の副走査方向の後方の余白部のライン数に応じて、前記分割された領域において前記補正を行なう副走査方向のライン数を設定する設定手段と
を有することを特徴とする画像形成装置。
【請求項６】
前記設定手段は、前記分割された領域の副走査方向の後方の余白部のライン数が前記取得手段で取得された情報が示す規定ライン数より小さい場合、該分割された領域において前記補正を行う副走査方向のライン数として、前記取得手段で取得された情報が示す規定ライン数よりも小さいライン数を設定することを特徴とする請求項５に記載の画像形成装置。
【請求項７】
前記設定手段は、前記分割された領域において前記補正を行なう副走査方向のライン数として、前記分割された領域の副走査方向の後方の余白部のライン数を設定することを特徴とする請求項６に記載の画像形成装置。
【請求項８】
前記設定手段は、前記分割された領域に対応する余白部のライン数が前記取得手段で取得された情報が示す規定ライン数より小さくない場合、前記分割された領域において前記補正を行なう副走査方向のライン数として、前記取得手段で取得された情報が示す規定ライン数を設定することを特徴とする請求項５に記載の画像形成装置。
【請求項９】
前記分割手段は、前記第１のベタ部の副走査方向のライン数にさらに応じて前記領域を副走査方向に分割し、
前記設定手段は、前記分割された領域の前記第１のベタ部の副走査方向のライン数と前記分割された領域の副走査方向の後方の余白部のライン数とに応じて、前記分割された領域に対して前記補正を行なう対象の副走査方向のライン数を設定することを特徴とする請求項５に記載の画像形成装置。
【請求項１０】
前記設定手段は、前記分割された領域の副走査方向の後方の余白部のライン数が前記分割された領域の副走査方向のライン数より小さく、かつ、前記分割された領域の副走査方向の後方の余白部のライン数が前記取得手段で取得された情報が示す規定ライン数より小さい場合、該分割された領域において前記補正を行う副走査方向のライン数として、前記取得手段で取得された情報が示す規定ライン数よりも小さいライン数を設定することを特徴とする請求項９に記載の画像形成装置。
【請求項１１】
前記設定手段は、前記分割された領域において前記補正を行なう副走査方向のライン数として、前記分割された領域の副走査方向の後方の余白部のライン数を設定することを特徴とする請求項１０に記載の画像形成装置。
【請求項１２】
前記設定手段は、前記分割された領域の副走査方向の後方の余白部のライン数が前記分割された領域の副走査方向のライン数より小さく、かつ、前記分割された領域に対応する余白部のライン数が前記取得手段で取得された情報が示す規定ライン数より小さくない場合、前記分割された領域において前記補正を行なう副走査方向のライン数として、前記取得手段で取得された情報が示す規定ライン数を設定することを特徴とする請求項９に記載の画像形成装置。
【請求項１３】
前記設定手段は、前記分割された領域の副走査方向の後方の余白部のライン数が前記分割された領域の副走査方向のライン数より小さくなく、かつ、前記分割された領域の副走査方向のライン数が前記取得手段で取得された情報が示す規定ライン数より小さい場合、該分割された領域において前記補正を行う副走査方向のライン数として、前記分割された領域の副走査方向のライン数を設定することを特徴とする請求項９に記載の画像形成装置。
【請求項１４】
前記設定手段は、前記分割された領域の副走査方向の後方の余白部のライン数が前記分割された領域の副走査方向のライン数より小さくなく、かつ、前記分割された領域の副走査方向のライン数が前記取得手段で取得された情報が示す規定ライン数より小さくない場合、該分割された領域において前記補正を行う副走査方向のライン数として、前記取得手段で取得された情報が示す規定ライン数を設定することを特徴とする請求項９に記載の画像形成装置。
【請求項１５】
前記取得手段は、前記感光体ドラムの回転速度と前記感光体ドラムにトナーを供給する現像ローラの回転速度との差に基づく規定ライン数を取得することを特徴とする請求項５から１４のいずれか一項に記載の画像形成装置。
【請求項１６】
前記設定手段で設定された副走査方向のライン数に応じたパラメータを用いて露光手段における露光を制御する制御手段をさらに有することを特徴とする請求項５から１５のいずれか一項に記載の画像形成装置。
【請求項１７】
前記制御手段は、
副走査方向のライン数とライン数に対応する露光補正量とを関連付けたテーブルから、前記設定手段で設定された副走査方向のライン数に応じた露光補正量を取得し、
取得した露光補正量に基づいて前記露光手段を駆動する信号をパルス幅変調することで前記制御を行なうことを特徴とする請求項１６に記載の画像形成装置。
【請求項１８】
画像データにおいて、所定濃度以上の画素が副走査方向に連続した領域と副走査方向下流側に隣接する白領域の副走査方向の画素数を取得する取得ステップと、 
前記取得ステップによって取得された白領域の画素数に基づき、前記連続した領域において副走査方向下流側の単位領域あたりの濃度が低くなるように前記単位領域における画素値の補正を行う補正ステップとを有し、 
前記補正ステップは、前記取得ステップによって取得された白領域の画素数が第１の画素数の場合、 前記連続した領域における副走査方向下流側の単位領域あたりの濃度を、第１の補正量で補正を行い、前記取得ステップによって取得された白領域の画素数が前記第１の画素数よりも大きい第２の画素数の場合、前記連続した領域における副走査方向下流側の単位領域あたりの濃度を、前記第１の補正量よりも大きい第２の補正量で補正することを特徴とする画像形成方法。 
【請求項１９】
感光体ドラム上の潜像部の回転方向の後端において生じるトナーの過付着を補正する画像形成装置であって、
潜像が形成される領域であるベタ部と副走査方向の後方に隣接する余白部の副走査方向のライン数に応じて、前記ベタ部の前記補正を行なう副走査方向のライン数を設定する設定手段と
を有することを特徴とする画像形成装置。
【請求項２０】
画像データにおいて、所定濃度以上の画素が副走査方向に連続した領域を抽出し、前記抽出された領域に副走査方向下流側に隣接する白領域の副走査方向の画素数を取得する取得手段と、
少なくとも前記取得手段によって取得された白領域の画素数に基づき、前記連続した領域に含まれる複数の黒画素のうち、一部の黒画素を白画素に置き換える置き換え手段とを有し、
前記置き換え手段は、前記取得手段によって取得された白領域の画素数が第１の画素数の場合、第３の画素数の黒画素を白画素に置き換え、前記取得手段によって取得された白領域の画素数が前記第１の画素数よりも大きい第２の画素数の場合、前記第３の画素数よりも大きい第４の画素数の黒画素を白画素に置き換えることを特徴とする画像形成装置。
【手続補正２】
【補正対象書類名】明細書
【補正対象項目名】発明の名称
【補正方法】変更
【補正の内容】
【発明の名称】画像形成装置および画像形成方法
【手続補正３】
【補正対象書類名】明細書
【補正対象項目名】０００１
【補正方法】変更
【補正の内容】
【０００１】
本発明は、使用する色材の消費量を低減させる画像形成装置および画像形成方法に関するものである。
【手続補正４】
【補正対象書類名】明細書
【補正対象項目名】０００６
【補正方法】変更
【補正の内容】
【０００６】
本発明にかかる画像形成装置は、画像データにおいて、所定濃度以上の画素が副走査方向に連続した領域と副走査方向下流側に隣接する白領域の副走査方向の画素数を取得する取得手段と、前記取得手段によって取得された白領域の画素数に基づき、前記連続した領域において副走査方向下流側の単位領域あたりの濃度が低くなるように前記単位領域における画素値の補正を行う補正手段とを有し、前記補正手段は、前記取得手段によって取得された白領域の画素数が第１の画素数の場合、前記連続した領域における副走査方向下流側の単位領域あたりの濃度を、第１の補正量で補正を行い、前記取得手段によって取得された白領域の画素数が前記第１の画素数よりも大きい第２の画素数の場合、前記連続した領域における副走査方向下流側の単位領域あたりの濃度を、前記第１の補正量よりも大きい第２の補正量で補正することを特徴とする。